(57)【要約】【課題】  ベッド板を垂直方向にシーソー状に動かせると共に、回転運動ができ、かつ回転支持台を水平方向に回転できるため、垂直・水平回転運動により、より一層運動神経（反射神経）、自律神経等に刺激を与えることにより、運動能力のアップや軽度の認知症の改善等、主に脳活性化に有効な運動神経等活性化訓練装置を提供する。【解決手段】回転支持台に、回転軸にてシーソー状に形成し、垂直方向に可動可能なベッド板を設けると共に、回転支持台を水平方向に回転させる回転台を設けてなることを特徴とする運動神経等活性化訓練装置。【選択図】図１
2007301373.tif 000002
【特許請求の範囲】
【請求項１】
回転支持台に、回転軸にてシーソー状に形成し、垂直方向に可動可能なベッド板を設けると共に、回転支持台を水平方向に回転させる回転台を設けてなることを特徴とする運動神経等活性化訓練装置。
【請求項２】
ベッド板のベッド板本体の長手方向軸心にベッド板本体を左右に回転する左右回転軸を設けてなることを特徴とする請求項１記載の運動神経等活性化訓練装置。
【請求項３】
ベッド板に取っ手及び足受部を設けてなることを特徴とする請求項１又は２記載の運動神経等活性化訓練装置。
【請求項４】
ベッド板に、音声や音楽を流すためのスピーカー部を設けてなることを特徴とする請求項１、２又は３記載の運動神経等活性化訓練装置。
【請求項５】
回転軸に、ベッド板をシーソー状あるいは垂直方向に回転作動させるための垂直作動部を設けてなることを特徴とする請求項１、２、３又は４記載の運動神経等活性化訓練装置。
【請求項６】
回転台に、回転支持台を水平方向に回転させるべく水平作動部を設けてなることを特徴とする請求項１、２、３、４又は５記載の運動神経等活性化訓練装置。
【請求項７】
取っ手を上下に移動させるべく、ガイド部を設けてなることを特徴とする請求項２、３、４、５又は６記載の運動神経等活性化訓練装置。
【請求項８】
取っ手を略コの字形に形成してなることを特徴とする請求項２、３、４、５、６又は７記載の運動神経等活性化訓練装置。
【請求項９】
取っ手をガイド部に架設してなることを特徴とする請求項７又は８記載の運動神経等活性化訓練装置。
【請求項１０】
取っ手にモニターを設けてなることを特徴とする請求項２、３、４、５、６、７、８又は９記載の運動神経等活性化訓練装置。
【請求項１１】
回転台を斜状に形成すべく、調整具を設けてなることを特徴とする請求項１、２、３、４、５、６、７、８、９又は１０記載の運動神経等活性化訓練装置。
【請求項１２】
足受部を上下移動する移動具を設けてなることを特徴とする請求項１、２、３、４、５、６、７、８、９、１０又は１１記載の運動神経等活性化訓練装置。
【発明の詳細な説明】
【技術分野】
【０００１】  本発明は、運動神経（反射神経）、自律神経の刺激等を行い軽度の認知症の改善等の主に脳の活性化を行うことのできる運動神経等活性化訓練装置に関するものである。
【背景技術】
【０００２】  従来の技術として、脳・運動神経および筋力訓練において、幅広く利用できる訓練装置を提供するものである。脳・運動神経および筋力訓練装置は、架台上に３６０度各方向に自由に動く自由架台が配置され、その上には踏台が配置されていて、自由架台と踏台の間には、球体が挟めるよう、自由架台上側および踏台下側中心部に夫々に凹みを持ち、自由架台と球体と踏台とはユニバーサルボルトにて留められ、自由架台に対し踏台は、中心部を基点に３６０度各方向にシーソー運動ができるよう、組み立てられているため、踏台上に人が立つと、非常に不安定な状態に身を置くことになる。この不安定な状態を安定した状態にする努力のため、全身を使って努力する過程で、少しの重心移動で素早く自由架台が３６０度各方向に移動すると共に、踏台も体重移動のため３６０度各方向にシーソー運動を起こす。この一連のバランスをとる動作は、脳からの運動神経の命令を受けて、体内の各筋力が運動を興す。この運動神経と体内各筋力の総合運動は、屋内外で一台の装置で安全に実施できることを特徴とする。脳・運動神経および筋力訓練装置がある。（特許文献１参照）【０００３】  また、認知症防止の器具として、基台と該基台上で回転自在な回転座盤とよりなり、基台には正逆転が一対となって回転自在でその回転数と回転速度を調節自在とした電動機を設置し、その電動機の動力を上記回転座盤に伝動自在とし、回転座盤には両脇に落下防止取っ手を設けた健康増進器がある。（特許文献２参照）
【特許文献１】  特開２００４−９７７３７号公報
【特許文献２】  実用新案登録第３１１５０４０号公報
【発明の開示】
【発明が解決しようとする課題】
【０００４】  上記前者においては、踏台上に人が立って使用するもので、足の悪い方や高齢者の方は使用できない。
また、ベッド板を設けていないためその体を逆さにすることもできず、効果が薄いものである。
さらに、シーソー運動も量的に少なく、バランス感覚を養う程度である。【０００５】  上記後者においても、座って使用するものであるが、水平回転のみの形態であり、ベッド板を設け、垂直方向に回転する機能を設けていない。【０００６】  本発明は、このような従来の構成が有していた問題を解決しようとするもので、ベッド板を垂直方向にシーソー状に動かせると共に、回転運動ができ、かつ回転支持台を水平方向に回転できるため、垂直・水平回転運動により、より一層運動神経（反射神経）、自律神経等に刺激を与えることにより、運動能力のアップや軽度の認知症の改善等、主に脳活性化に有効な運動神経等活性化訓練装置を提供するものである。
【課題を解決するための手段】
【０００７】  本発明は、上記の目的を達成するために、回転支持台に、回転軸にてシーソー状に形成し、垂直方向に可動可能なベッド板を設けると共に、回転支持台を水平方向に回転させる回転台を設けてなる。
ベッド板のベッド板本体の長手方向軸心にベッド板本体を左右に回転する左右回転軸を設けてなる。
ベッド板に取っ手及び足受部を設けてなる。
ベッド板に、音声や音楽を流すためのスピーカー部を設けてなる。
回転軸に、ベッド板をシーソー状あるいは垂直方向に回転作動させるための垂直作動部を設けてなる。
回転台に、回転支持台を水平方向に回転させるべく水平作動部を設けてなる。
取っ手を上下に移動させるべく、ガイド部を設けてなる。
取っ手を略コの字形に形成してなる。
取っ手をガイド部に架設してなる。
取っ手にモニターを設けてなる。
回転台に調整具を設けてなる。
足受部を上下移動する移動具を設けてなることを特徴とする。
【発明の効果】
【０００８】１）、回転支持台に、回転軸にてシーソー状に形成してなるベッド板により、脳や体に対して急激な刺激を与えるのではなく、軽い刺激を与えるのに有効で、特に老人の方や、体に障害を持つ方の訓練（脳が体を制御しようとする）として各種神経へ適度な刺激を与える効果がある。
２）、ベッド板を垂直方向に移動（回転）させることにより、体を上下に正転・逆転することにより、特に上下方向を制御する運動神経（反射神経）等に比較的大きな刺激を与えることができ、より各種神経を活性化できるものである。
３）、回転台にて、回転支持台を水平方向に回転することにより、特に左右方向を制御する運動神経（反射神経）等に比較的大きな刺激を与えることができ、より各種神経を活性化できるものである。
４）、ベッド板本体を左右に回転することにより、特に静止状態で、下向き上向きを繰り返し行うことができ、日常では体験できない動きにより、特に側方向を制御する運動神経（反射神経）等に比較的大きな刺激を与えることができ、より各種神経を活性化できるものである。
５）、ベッド板、回転支持台、回転台の組み合わせにより、上下左右の動きを３次元的に表現することができるため、個人個人のレベルや体調に合わせて使用できるものである。
６）、取っ手や足受部を設けることにより、安全に使用できるものである。
７）、スピーカ部により、自分の好きな音楽等を聞きながら使用できるため、リラックス（ストレスのない状態）できると共に、音楽療法の効果も期待できる。
８）、取っ手を垂直上下に移動させるガイド部を設けることにより、自分に合った腕の位置にて訓練ができ、特に肩の筋肉を柔らかくすることができ、よって血流をよくすることができる。
９）、水平方向に取っ手を設けることにより、手を手前に置くことができ、リラックスして使用できる。
１０）、モニターを設けることにより、テレビ等を見ながら楽しく訓練することができる。
１１）、取っ手を水平上下に移動させるガイド部を設けることにより、腕を耳につけて伸ばすことができ、より一層肩の筋肉を柔らかくし、血流をよくすることができる。
１２）、調整具により、ベッド板を斜状に回転することができ、より強い刺激を脳に与えることができる。
１３）、移動具により、足受部を上下移動可能にでき、各々の身長に合わせて最適な位置を保持できる。
【発明を実施するための最良の形態】
【０００９】  まず、第１実施例の運動神経等活性化訓練装置について説明する。
１は、運動神経等活性化訓練装置である。
２は、側面台形状に形成すると共に、正面略Ｕ字形に形成してなる水平方向に回転可能な回転支持台である。
３は、上記回転支持台２の上部に回転軸３ａにてシーソー状に形成すると共に、垂直方向に回転可能に形成してなるベッド板で、上部両側に略コの字形の取っ手３ｂを設けると共に、下端に足受部３ｃを設け、上部両側面に音楽を流すためのスピーカ部３ｄを設けてある。
４は、上記回転支持台２を水平方向に回転させる回転台である。【００１０】  上記運動神経等活性化訓練装置１の使用例について下記に述べる。
まず、ベッド板３を垂直方向に位置させ、使用者Ｓは前向きになり、足ＡＳを足受部３ｃに置き、手Ｔにて取って３ｂを握る。
つぎに、ベルトＢを足ＡＳと腰Ｋに取り付ける。
この状態で、作動者（介護者や医者等）（図示せず）は、使用者Ｓと相談してどのような動きを行うかを決める。
例えば、作動者Ｓはベッド板３の上端あるいは下端を持って一旦ベッド板３を水平状態にし、シーソー状にベッド板３を動かす。
また、ゆっくり回転させる。
さらに、回転支持台２を左右水平方向に回転させてもよいし、ベッド板３を回転させながら同時に回転支持台２を回転させてもよい。
つづいて、第２実施例を説明する。
運動神経等活性化訓練装置１Ａは、平面長方形状の枠３Ａ１内に、ＢＯＸ型のベッド板本体３Ａ２を長手方向軸心に設けた左右回転軸３Ａ２１にて左右回転可能に設けてなるベッド板３Ａの一方の左右回転軸３Ａ２１にウォームギア（図示せず）による回転ハンドル３Ａ３を設けると共に、他方の左右回転軸３Ａ２１に先端に足受部３ｃを設けた上下ハンドル３Ａ４を設けてなる。
このベッド板３Ａは、高さの低い回転台２Ａに対して、上記と同様な回転軸３ａにてシーソー状に垂直方向（上下方向）に移動可能に設けてなるものである。
なお、回転台は、上記と同様とし、省略する。
この運動神経等活性化訓練装置１Ａは、上下ハンドル３Ａ４を回動させ、足受部３ｃを上下動させ調整する。
また、回転ハンドル３Ａ３を回動させ、ベッド板本体３Ａ２を左右に回動させることにより、特に人体の側方向を制御する運動神経（反射神経）等に刺激を与えることができる。
さらに、ベッド板３Ａをシーソー状にゆらすことにより特に初めての方には有効である。【００１１】  つぎに、第３実施例を説明する。
運動神経等活性化訓練装置２１は上記運動神経等活性化訓練装置１に対して、回転軸２３ａにベッド板２３をシーソー状あるいは垂直方向に回転作動させるためのモーター等による垂直作動部５を設けると共に、回転支持台２２を水平方向（左右）に回転させるモーター等による水平作動部６を回転台２４内に設けてある。【００１２】  この、運動神経等活性化訓練装置２１は、垂直作動部５及び水平作動部６を同時あるいは個々に作動させることにより、個人個人のレベルや体調あるいは目的（目標）に合わせて、自動制御（有線あるいは無線操作可能）することができるものである。【００１３】  第４実施例について説明する。
運動神経等活性化訓練装置３１は、ベッド板３２の上部両側に取っ手３３ｂを垂直上下に移動させて取り付けるべく取付孔７ａ…を複数設けてなるレール状のガイド部７を設けてなるもので、腕を伸ばして使用することにより、肩の筋肉を柔らかくすることができ、よって血流をよくすることができる。【００１４】  第５実施例について説明する。
運動神経等活性化訓練装置４１は、ベッド板４２の上部（人の胸の位置）水平方向に、略コの字形の取っ手４３ｂを設けてなるもので、手（Ｔ１）を手前に置くことにより、安心感が強く、特に精神的に安定していない方に有効である。（ジェットコースターの感覚）【００１５】  第６実施例について説明する。
運動神経等活性化訓練装置５１は、ベッド板５２の取っ手５３ｂに、映像等が見られるモニター８を設けてなるもので、テレビ等を見ながら楽しく訓練ができるものである。【００１６】  第７実施例について説明する。
運動神経等活性化訓練装置６１は、ベッド部６２の上部両側に取っ手６３ｂを水平上下に移動させて取り付けるべく、取付孔９ａ…を複数設けてなるレール状のガイド部９を設けてなるもので、腕を耳に付けて伸ばすことができるため、より効果的に肩や腕に負荷を与え、血流をよくすることができる。【００１７】  第８実施例について説明する。
運動神経等活性化訓練装置７１は、回転台７４の４隅にボルト等による調整具１０を設けたもので、調整具１０…を上下させて回転台７４を斜状に形成できるものである。【００１８】  なお、スピーカ部３ｂからは自分の好みの音楽を聞く（ヘッドホーンも可）こともできるし、音楽療法として使用される音楽を流すこともできる。
また、非常ボタンＨＢを設け、押すことにより、スピーカ部３ｂより非常音を流すことも可能である。
さらに、各部位の材質や形状は、同様な機能を有するものであれば、特に限定するものではない。
さらにまた、ベッド板にヒーターや保温材を用い、冬場においても快適に使用するのも一考であり、ベルトで締める方法や位置は自由に設定してよい。
【図面の簡単な説明】
【００１９】
【図１】  本発明の第１実施例を示す運動神経等活性化訓練装置の側面図。
【図２】  本発明の第１実施例を示す運動神経等活性化訓練装置の正面図。
【図３】  本発明の第１実施例を示す運動神経等活性化訓練装置の使用状態の側面図。
【図４】  本発明の第１実施例を示す運動神経等活性化訓練装置の使用状態の正面図。
【図５】  本発明の第２実施例を示す運動神経等活性化訓練装置の要部の平面図。
【図６】  本発明の第２実施例を示す運動神経等活性化訓練装置の要部の正面図。
【図７】  本発明の第２実施例を示す運動神経等活性化訓練装置の要部の左側面図。
【図８】  本発明の第３実施例を示す運動神経等活性化訓練装置の側面図。
【図９】  本発明の第３実施例を示す運動神経等活性化訓練装置の正面図。
【図１０】  本発明の第４実施例を示す運動神経等活性化訓練装置の要部の正面図。
【図１１】  本発明の第４実施例を示す運動神経等活性化訓練装置の要部の側面図。
【図１２】  本発明の第５実施例を示す運動神経等活性化訓練装置の要部の正面図。
【図１３】  本発明の第５実施例を示す運動神経等活性化訓練装置の要部の側面図。
【図１４】  本発明の第６実施例を示す運動神経等活性化訓練装置の要部の側面図。
【図１５】  本発明の第７実施例を示す運動神経等活性化訓練装置の要部の正面図。
【図１６】  本発明の第８実施例を示す運動神経等活性化訓練装置の要部の正面図。
【符号の説明】
【００２０】１―――運動神経等活性化訓練装置
２―――回転支持台
３―――ベッド板
３ａ――回転軸
３ｂ――取っ手
３ｃ――足受部
３ｄ――スピーカ部
４―――回転台
５―――垂直作動部
６―――水平作動部
７―――ガイド部
７ａ――取付孔
８―――モニター
９―――ガイド部
９ａ――取付孔
１０――調整具
Ｓ―――使用者
ＡＳ――足
Ｔ―――手
Ｂ―――ベルト
Ｋ―――腰
ＨＢ――非常ボタン
【図１】
2007301373.tif 000003
【図２】
2007301373.tif 000004
【図３】
2007301373.tif 000005
【図４】
2007301373.tif 000006
【図５】
2007301373.tif 000007
【図６】
2007301373.tif 000008
【図７】
2007301373.tif 000009
【図８】
2007301373.tif 000010
【図９】
2007301373.tif 000011
【図１０】
2007301373.tif 000012
【図１１】
2007301373.tif 000013
【図１２】
2007301373.tif 000014
【図１３】
2007301373.tif 000015
【図１４】
2007301373.tif 000016
【図１５】
2007301373.tif 000017
【図１６】
2007301373.tif 000018